(57)【要約】【課題】引率者が被引率者を容易に識別することができ、施設外活動の安全かつ円滑化を図ることができる目印付き帽子を提供する。【解決手段】着用者の頭部に被装される帽子本体１０を有する帽子であって、着用者を識別するための目印となる識別表示部３０を、帽子本体１０の頭頂部１９に設けた構成としてある。好ましくは、識別表示部３０を平面視した状態の大きさを、帽子本体１０を平面視した状態の面積の約４５％の範囲内とし、また、識別表示部３０を、面ファスナ１９，３０ａによって、帽子本体３０の頭頂部１９に着脱可能に設けた構成とする。より好ましくは、帽子本体１０の周縁部の少なくとも一部に、伸縮自在なゴム紐１０ａを縫い付けて、頭回りの寸法を可変するようにした構成とする。【選択図】図１
0003129731.tif 000002
【実用新案登録請求の範囲】
【請求項１】
着用者の頭部に被装される帽子本体を有する帽子であって、前記着用者を識別するための目印となる識別表示部を、前記帽子本体の頭頂部又は側頭部に設けたことを特徴とする目印付き帽子。
【請求項２】
前記帽子本体の頭頂部を略平面とし、この頭頂部に前記識別表示部を平らに設けたことを特徴とする請求項１記載の目印付き帽子。
【請求項３】
前記識別表示部を、係止手段によって、前記帽子本体の頭頂部又は側頭部に着脱可能に設けたことを特徴とする請求項１又は２記載の目印付き帽子。
【請求項４】
前記識別表示部を前記帽子本体の頭頂部に設ける場合に、前記識別表示部を平面視した状態の大きさを、前記帽子本体を平面視した状態の面積の約４５％の範囲内としたことを特徴とする請求項１〜３いずれか記載の目印付き帽子。
【請求項５】
前記識別表示部を前記帽子本体の側頭部に設ける場合に、前記識別表示部を側面視した状態の大きさを、前記帽子本体を側面視した状態の面積の約５５％の範囲内としたことを特徴とする請求項１〜３いずれか記載の目印付き帽子。
【請求項６】
前記帽子本体の周縁部の少なくとも一部に、伸縮自在な弾性帯を縫い付けて、頭回りの寸法が可変するようにしたことを特徴とする請求項１〜５いずれか記載の目印付き児童用帽子。
【考案の詳細な説明】
【技術分野】
【０００１】  本考案は、幼稚園、保育園、小学校又は老人介護施設等における団体生活で用いられる目印付き帽子に関し、特に、引率者が被引率者を容易に識別することができ、施設外活動の安全かつ円滑化を図ることができる目印付き帽子に関する。
【背景技術】
【０００２】  従来の野球帽、官帽等の帽子では、マークや記章といった表示部を帽子本体の正面に設けていた。例えば、特許文献１では、帽子本体の外周に帯章（リボン）を緊結状態に巻き着け、この帯章の外側より、帽子本体の正面に設けた孔に帽章を通して裏側からねじ止めする構成のリボン付き帽子が開示されている。また、特許文献２及び３では、帽子本体の前面にシート状ＥＬ発光装置を設けた広告用帽子が開示されている。
【特許文献１】特開平１１−３３５９１８号公報（図１参照）
【特許文献２】特開平１１−３２３６１７号公報（図２参照）
【特許文献３】特開平８−１００３１８号公報（図１〜図３参照）
【考案の開示】
【考案が解決しようとする課題】
【０００３】  しかし、上述した従来の野球帽や官帽などのマークや記章等は、チームや組織といった団体を識別するためのものであって、これらマークや記章等の表示では、その団体に所属する個々の帽子着用者が誰であるか識別することまではできなかった。【０００４】  このため、上述した従来の帽子では、例えば、幼稚園、保育園、小学校又は老人介護施設等の施設外活動において、複数人の児童や老人（被引率者）が所定の団体に所属していることまでは識別できるが、これら被引率者を個々に識別することまではできないという問題があった。【０００５】  また、開放的な施設外活動では、引率者に対して複数の被引率者がそれぞれランダムな方向を向いている場合が多い。このため、被引率者を識別するための目印となる識別表示を、従来のように帽子本体の正面に設ければ、施設外活動の多くの場面において、識別表示の視認性が悪くなってしまうという問題があった。【０００６】  特に、被引率者が小さな児童である場合は、通常、大人である引率者との身長差が大きい。このため、被引率者を識別するための目印となる識別表示を帽子本体の正面に設けた場合は、引率者の高い目線から、小さな児童が被った帽子の識別表示が見えにくく、複数人の児童を個々に識別することが困難である。【０００７】  本考案は、上記問題点に鑑みてなされたものであり、引率者が被引率者を容易に識別することができ、施設外活動の安全かつ円滑化を図ることができる目印付き帽子を提供することを目的とする。
【課題を解決するための手段】
【０００８】  上記目的を達成するために、着用者の頭部に被装される帽子本体を有する帽子であって、前記着用者を識別するための目印となる識別表示部を、前記帽子本体の頭頂部又は側頭部に設けた構成としてある。【０００９】  このような構成によれば、例えば、児童や老人などの被引率者に本目印付き帽子を着用させることにより、引率者は、本目印付き帽子の識別表示部を目視することで容易に被引率者を個々に識別することが可能となる。【００１０】  特に、識別表示部を帽子本体の頭頂部に設けた場合は、背の高い引率者と背の低い被引率者との身長差が大きい場合ほど、引率者の目線から識別表示部が見えやすくなり、引率者が被引率者を容易に識別することができ、施設外活動の安全かつ円滑化を図ることができる。【００１１】  一方、引率者と被引率者との間に身長差がない場合は、識別表示部を帽子本体の側頭部、特に両側頭部に設けることで、引率者に対して被引率者がランダムな方向を向いている場合でも、識別表示部を視認しやすくなり、施設外活動における複数の被引率者の管理が容易となる。【００１２】  好ましくは、前記帽子本体の頭頂部を略平面とし、この頭頂部に前記識別表示部を平らに設けた構成とする。このような構成によれば、識別表示部が、着用者の頭頂部の形に沿って変形しにくくなり、高い視線から識別表示部を見下ろしたときに、より視認性を向上させることができる。【００１３】  好ましくは、前記識別表示部を、係止手段によって、前記帽子本体の頭頂部又は側頭部に着脱可能に設けた構成とする。【００１４】  このような構成によれば、本目印付き帽子の識別表示部が交換可能となり、複数の被引率者にそれぞれ異なる識別表示部を割り当てさえすれば、これら被引率者より少ない数の本目印付き帽子を、これら複数の引率者で使い回すことができるようになる。【００１５】  好ましくは、前記識別表示部を前記帽子本体の頭頂部に設ける場合に、前記識別表示部を平面視した状態の大きさを、前記帽子本体を平面視した状態の面積の約４５％の範囲内とした構成とする。このような構成によれば、帽子本体の頭頂部に設けた識別表示部を引率者が遠方から十分に視認することができ、被引率者が多少離れた場所に移動した場合でも識別可能となる。【００１６】  好ましくは、前記識別表示部を前記帽子本体の側頭部に設ける場合に、前記識別表示部を側面視した状態の大きさを、前記帽子本体を側面視した状態の面積の約５５％の範囲内とした構成とする。このような構成によれば、帽子本体の側頭部に設けた識別表示部を引率者が遠方から十分に視認することができ、被引率者が多少離れた場所に移動した場合でも識別可能となる。【００１７】  好ましくは、前記帽子本体の周縁部の少なくとも一部に、伸縮自在な弾性帯を縫い付けて、頭回りの寸法が可変するようにした構成とする。このような構成によれば、頭の大きさが異なる複数の被引率者に対して、本目印付き帽子をフィットさせることができ、本目印付き帽子の汎用性及び使いやすさを向上させることができる。
【考案の効果】
【００１８】  本考案に係る目印付き帽子によれば、帽子装着者を個々に識別することが可能となり、例えば、幼稚園、保育園、小学校又は老人介護施設等の施設外活動において、引率者が被引率者を容易に識別することができ、施設外活動の安全かつ円滑化を図ることができるようになる。
【考案を実施するための最良の形態】  以下、本考案の実施形態に係る目印付き帽子について、図面を参照しつつ説明する。【００１９】  まず、本考案の第１実施形態に係る目印付き帽子について、図１（ａ），（ｂ）を参照しつつ説明する。図１は本考案の第１実施形態に係る目印付き帽子を示すものであり、同図（ａ）は分解斜視図、同図（ｂ）は平面図である。【００２０】  これら図面において、１は本実施形態に係る目印付き帽子であり、運動会や遠足のときに用いられる児童用帽子をベースにしている。目印付き帽子１の帽子本体１０は、児童の頭部に被着したときに、略半球形状となるように縫製してある。【００２１】  この帽子本体１０は、前頭部Ｆを形成する２枚の生地１１，１２と、左側頭部Ｌを形成する２枚の生地１３，１４と、後頭部Ｂを形成する２枚の生地１５，１６と、右側頭部Ｒを形成する２枚の生地１７，１８と、略平面な円形の頭頂部１９を形成する生地とからなっている。【００２２】  また、帽子本体１０の前頭部Ｆから両側頭部Ｌ，Ｒにわたって、日除けの鍔部２０が縫い付けてある。さらに、帽子本体１０の頭頂部１９には、これと相似形の円形の面ファスナ（係止手段）１９ａが縫い付けてある。【００２３】  図１（ａ）中の部分拡大図に示すように、帽子本体１０の周縁部の少なくとも一部には、伸縮自在なゴム紐（弾性帯）１０ａが縮んだ状態で縫い付けてあり、頭回りの寸法が可変する構成となっている。このようなゴム紐１０ａは、帽子本体１０の鍔部２０と重複しない箇所であれば、周縁部のどの箇所に設けても頭回りの寸法を可変させることができるが、帽子本体１０の後頭部Ｂの周縁部にゴム紐１０ａを縫い付けることがデザイン上好ましい。【００２４】  ここで、３０は識別表示部であり、円形の生地に「８」の番号を印刷、又は円形の生地に「８」の形状に切り抜いた他の生地を縫い付けた（アップリケ）構成となっている。この識別表示部３０の裏面には、頭頂部１９の面ファスナ１９ａと係止可能な他の面ファスナ３０ａが縫い付けてあり、これら面ファスナ１９ａ，３０ａの係止によって、識別表示部３０を頭頂部１９に係止するようにしてある。【００２５】  この識別表示部３０は、本目印付き帽子１を被着した着用者を識別するための目印となるものであり、図示しない同様の他の目印付き帽子１，１，１…の各頭頂部１９には、例えば、「１」〜「７」、「９」〜「ｎ」の番号を表示した他の識別表示部３０を、面ファスナ１９ａ，３０ａを介してそれぞれ取り付けてある。この結果、識別表示部３０に表示された「１」〜「ｎ」の番号によって、各目印付き帽子１，１，１…の着用者を個々に識別することができる。【００２６】  図１（ｂ）に示すように、本実施形態では、識別表示部３０を平面視した状態の大きさを、帽子本体１０を平面視した状態の面積の約４５％としてある。例えば、被着状態における帽子本体１０の直径を約１８ｃｍとし、帽子本体１０を平面視した状態の面積を約２５４ｃｍ２とした。これに対して、識別表示部３０の直径を約１２ｃｍ程度とし、その面積を約１１３ｃｍ２とした。【００２７】  但し、識別表示部３０を平面視した状態の大きさは、帽子本体１０を平面視した状態の面積の約４５％に限定される���のではない。例えば、識別表示部３０を、帽子本体１０を平面視した状態の面積の約４５％よりも大きくした場合は、識別表示部３０の遠距離からの視認性がより向上し、逆に、約４５％より小さくした場合でも、識別表示部３０が直ちに遠方から視認できなくなるわけではない。【００２８】  識別表示部３０をこのような大きさとすることにより、帽子本体１０の頭頂部１９に設けた識別表示部３０を引率者が遠方から十分に視認することができ、被引率者が多少離れた場所に移動した場合でも識別可能となる。【００２９】  また、識別表示部３０は、本実施形態の如き番号に限定されるものではなく、本目印付き帽子１を被着した着用者を個々に識別可能な目印となるものであれば、例えば、「Ａ」〜「Ｚ」のアルファベット、種々の色彩、又は花、果物、野菜、動物等をモチーフにした簡易な図形などであってもよい。【００３０】  このような本実施形態の目印付き帽子１によれば、背の高い引率者（例えば、付き添いの教員）と、背の低い被引率者（例えば、幼稚園、保育園又は小学校の児童）との身長差が大きい場合ほど、引率者の目線から識別表示部３０が見えやすくなり、引率者が被引率者を容易に識別することができ、施設外活動の安全かつ円滑化を図ることができる。例えば、保育園児や幼稚園児などの児童の園外活動の際に、引率者が、児童の帽子の頭頂の目印を識別することで、人数確認を容易にできるようにする。【００３１】  また、帽子本体１０の頭頂部１９を略平面とし、この頭頂部１９に識別表示部３０を平らに設けた構成としてあるので、識別表示部３０が、着用者の頭頂部の形に沿って変形しにくくなり、高い視線から識別表示部３０を見下ろしたときに、より視認性を向上させることができる。【００３２】  さらに、識別表示部３０を、面ファスナ１９ａ，３０ａによって、帽子本体１０の頭頂部１９に着脱可能に設けてあるので、識別表示部３０が交換可能となり、複数の被引率者（例えば、全ての児童）にそれぞれ異なる識別表示部３０，３０，３０…を割り当てさえすれば、これら被引率者より少ない数（例えば、遠足に行く学年の児童の数）の本目印付き帽子を、これら複数の引率者で使い回すことができるようになる。【００３３】  これに加えて、帽子本体１０の周縁部の少なくとも一部に、伸縮自在なゴム紐１０ａを縫い付けて、頭回りの寸法が可変するようにしたことにより、頭の大きさが異なる複数の被引率者に対して、本目印付き帽子１０をフィットさせることができ、本目印付き帽子１０の汎用性及び使いやすさを向上させることができる。【００３４】  次に、本考案の第２実施形態に係る目印付き帽子について、図２（ａ）〜（ｃ）を参照しつつ説明する。図２は本考案の第２実施形態に係る目印付き帽子を示すものであり、同図（ａ）は斜視図、同図（ｂ）は側面図、同図（ｃ）は平面図である。【００３５】  これら図面において、本実施形態の目印付き帽子２では、帽子本体１０の左右側頭部Ｌ，Ｒ（図１（ｂ）参照）にそれぞれ識別表示部４０，４０を直接縫い付けた構成としてある。【００３６】  図２（ｂ）に示すように、本実施形態では、これら識別表示部４０，４０を側面視した状態の大きさを、帽子本体１０を側面視した状態の面積の約５���％の範囲内とした構成としてある。例えば、被着状態における帽子本体１０の直径が、上記と同様の約１８ｃｍである場合、帽子本体１０を側面視した状態の面積は約１２７ｃｍ２であり、これに対して、各識別表示部４０の直径を約９ｃｍ程度とし、その面積を約６４ｃｍ２とした。【００３７】  各識別表示部４０をこのような大きさとすることにより、帽子本体１０の左右側頭部Ｌ，Ｒに設けた各識別表示部４０を引率者が遠方から十分に視認することができ、被引率者が多少離れた場所に移動した場合でも識別可能となる。【００３８】  但し、各識別表示部４０を側面視した状態の大きさは、帽子本体１０を側面視した状態の面積の約５５％に限定されるものではない。例えば、各識別表示部４０を、帽子本体１０を側面視した状態の面積の約５５％よりも大きくした場合は、各識別表示部４０の遠距離からの視認性がより向上し、逆に、約５５％より小さくした場合でも、各識別表示部４０が直ちに遠方から視認できなくなるわけではない。【００３９】  このような本実施形態の目印付き帽子２によれば、例えば、老人介護施設におけるヘルパー（引率者）と老人（被引率者）のように、引率者と被引率者との間に身長差がない場合でも、識別表示部４０，４０を帽子本体１０の左右側頭部Ｌ，Ｒに設けることで、引率者に対して被引率者がランダムな方向を向いている場合でも、いずれかの識別表示部４０を視認しやすくなり、施設外活動における複数の被引率者の管理が容易となる。【００４０】  なお、本考案の目印付き帽子は、上述した各実施形態に限定されるものではなく、例えば、識別表示部３０又は４０を設ける帽子のデザインは図面のものに限らず、あらゆる種々の帽子に本考案を適用することができる。【００４１】  また、識別表示部３０又は４０を帽子本体１０に係止するための係止手段も、上記実施形態の如き面ファスナ１９ａ，３０ａに限定されるものではなく、例えば、丸形のホックなどに変更してもよい。
【図面の簡単な説明】
【００４２】
【図１】本考案の第１実施形態に係る目印付き帽子を示すものであり、同図（ａ）は分解斜視図、同図（ｂ）は平面図である。
【図２】本考案の第２実施形態に係る目印付き帽子を示すものであり、同図（ａ）は斜視図、同図（ｂ）は側面図、同図（ｃ）は平面図である。
【符号の説明】
【００４３】  １，２  目印付き帽子
１０    帽子本体
１０ａ  ゴム紐（弾性帯）
１１〜１８    生地
１９    頭頂部
１９ａ  面ファスナ（係止手段）
２０    鍔部
３０    識別表示部
３０ａ  面ファスナ（係止手段）
Ｆ      前頭部
Ｌ      左側頭部
Ｂ      後頭部
Ｒ      右側頭部
【図１】
0003129731.tif 000003
【図２】
0003129731.tif 000004
【手続補正書】
【提出日】平成18年11月20日(2006.11.20)
【手続補正１】
【補正対象書類名】実用新案登録請求の範囲
【補正対象項目名】請求項６
【補正方法】変更
【補正の内容】
【請求項６】
前記帽子本体の周縁部の少なくとも一部に、伸縮自在な弾性帯を縫い付けて、頭回りの寸法が可変するようにしたことを特徴とする請求項１〜５いずれか記載の目印付き帽子。